(57)【要約】【課題】従来のマスクに着脱可能であって、従来のマスクに装着することにより眼鏡が曇りにくいという効果を発揮するマスク用具を提供すること。【解決手段】マスク本体２の上部側の内面に沿って配置可能な非通気性の第１シート状部材１１０と、第１シート状部材１１０の少なくとも上端部で連結されていると共に第１シート状部材と所定の間隔を保持した、少なくとも鼻の形状に沿って配置可能な非通気性の第２シート状部材１２０と、第１シート状部材１１０の上端側に設けられた固定部材１３０と、を備え、固定部材１３０をマスク本体２の上端縁部２ａに引っ掛けることによって、第１シート状部材１１０及び第２シート状部材１２０をマスク本体２の内面側に着脱可能である、ことを特徴とする曇り防止用マスク用具１００である。【選択図】図３
2018159147.tif 000002
【特許請求の範囲】
【請求項１】
マスクの上部側の内面に沿って配置可能な非通気性の第１シート状部材と、
前記第１シート状部材の少なくとも上端部で連結されていると共に前記第１シート状部材と所定の間隔を保持した、少なくとも鼻の形状に沿って配置可能な非通気性の第２シート状部材と、
前記第１シート状部材又は前記第２シート状部材の上端側に設けられた固定部材と、を備え、
前記固定部材を前記マスクの上端縁部に引っ掛けることによって、前記第１シート状部材及び前記第２シート状部材を前記マスクの内面側に着脱可能である、ことを特徴とするマスク用具。
【請求項２】
前記第２シート状部材は、前記鼻の形状に沿う様に柔軟性を有する部材である、ことを特徴とする請求項１に記載のマスク用具。
【請求項３】
前記第２シート状部材は、前記鼻の形状に沿う様に予め成形されている、ことを特徴とする請求項１に記載のマスク用具。
【請求項４】
前記第１シート状部材の、前記第２シート状部材に対向する側の表面には、前記第１シート状部材の左右幅方向の中央部を除き、高さの異なるスペーサ用突起部が複数形成されており、
前記第１シート状部材と前記第２シート状部材との連結部から遠い位置に配置された前記スペーサ用突起部の高さの方が、近い位置に配置された前記スペーサ用突起部の高さよりも高くなる様に前記スペーサ用突起部が形成されていることにより、前記所定の間隔が保持される、ことを特徴とする請求項１乃至３の何れか一つに記載のマスク用具。
【請求項５】
前記所定の間隔によって形成される空間の上方部は、正面視で前記空間の中央部から両端部に向かうに従って上昇する形状を成している、ことを特徴とする請求項１乃至３の何れか一つに記載のマスク用具。
【発明の詳細な説明】
【技術分野】
【０００１】
本発明は、マスクに装着可能なマスク用具に関する。
【背景技術】
【０００２】
従来より、口や鼻から出た風邪のウイルスの外部への飛散を抑制したり、逆に外部からのウイルス、花粉、粉塵等の異物の口や鼻への侵入を抑制するためのマスクが公知である。
【発明の概要】
【発明が解決しようとする課題】
【０００３】
しかしながら、従来のこの様なマスクは、眼鏡を着用している人にとっては、眼鏡が曇り易いという課題がある。
【０００４】
本発明は、上記従来のマスクのこの様な課題に鑑みて、従来のマスクに着脱可能であって、従来のマスクに装着することにより眼鏡が曇りにくいという効果を発揮するマスク用具を提供することを目的とする。
【課題を解決するための手段】
【０００５】
第１の本発明は、
マスクの上部側の内面に沿って配置可能な非通気性の第１シート状部材と、
前記第１シート状部材の少なくとも上端部で連結されていると共に前記第１シート状部材と所定の間隔を保持した、少なくとも鼻の形状に沿って配置可能な非通気性の第２シート状部材と、
前記第１シート状部材又は前記第２シート状部材の上端側に設けられた固定部材と、を備え、
前記固定部材を前記マスクの上端縁部に引っ掛けることによって、前記第１シート状部材及び前記第２シート状部材を前記マスクの内面側に着脱可能である、ことを特徴とするマスク用具である。
【０００６】
また、第２の本発明は、
前記第２シート状部材は、前記鼻の形状に沿う様に柔軟性を有する部材である、ことを特徴とする上記第１の本発明のマスク用具である。
【０００７】
また、第３の本発明は、
前記第２シート状部材は、前記鼻の形状に沿う様に予め成形されている、ことを特徴とする上記第１の本発明のマスク用具である。
【０００８】
また、第４の本発明は、
前記第１シート状部材の、前記第２シート状部材に対向する側の表面には、前記第１シート状部材の左右幅方向の中央部を除き、高さの異なるスペーサ用突起部が複数形成されており、
前記第１シート状部材と前記第２シート状部材との連結部から遠い位置に配置された前記スペーサ用突起部の高さの方が、近い位置に配置された前記スペーサ用突起部の高さよりも高くなる様に前記スペーサ用突起部が形成されていることにより、前記所定の間隔が保持される、ことを特徴とする上記第１乃至第３の何れか一つの本発明のマスク用具である。
【０００９】
また、第５の本発明は、
前記所定の間隔によって形成される空間の上方部は、正面視で前記空間の中央部から両端部に向かうに従って上昇する形状を成している、ことを特徴とする上記第１乃至第３の何れか一つの本発明のマスク用具である。
【発明の効果】
【００１０】
本発明によれば、従来のマスクに着脱可能であって、従来のマスクに装着することにより眼鏡が曇りにくいという効果を発揮する。
【図面の簡単な説明】
【００１１】
【図１】（ａ）：本実施の形態の曇り防止用マスク用具の概略構成を示す概略斜視図、（ｂ）：図1（ａ）に示す曇り防止用マスク用具を矢印Ａ方向から見たときの概略側面図、（ｃ）：図１（ａ）に示す曇り防止用マスク用具に設けられたスペーサ用突起部の斜視図
【図２】図１（ａ）に示す曇り防止用マスク用具を使い捨てマスクに装着する前の状態を示し、使い捨てマスクの内面側（即ち、顔に接する側）を示した概略斜視図
【図３】図１（ａ）に示す曇り防止用マスク用具を使い捨てマスクに装着した状態を示し、使い捨てマスクの内面側（即ち、顔に接する側）を示した概略斜視図
【図４】（ａ）：曇り防止用マスク用具が装着された使い捨てマスクの使用状態における呼気の流れを説明するための、鼻背部における曇り防止用マスク用具及びマスク本体の概略縦断面図、（ｂ）：曇り防止用マスク用具が装着された使い捨てマスクの使用状態における呼気の流れを説明するための、顔の左側後方から顔の左側周辺を見たときの曇り防止用マスク用具及び使い捨てマスクの概略斜視図
【図５】本実施の形態の一変形例として、第１シート状部材の左右両端部に左右一対の固定部材が、それぞれ設けられた第２曇り防止用マスク用具の概略構成を示す概略斜視図
【図６】（ａ）：本実施の形態の一変形例として、第１シート状部材と第２シート状部材との間にスペーサ部材を設けて構成された第３曇り防止用マスク用具の斜視図、（ｂ）：図６（ａ）に示すＢ−Ｃ−Ｄ平面による断面を矢印Ａに沿って見た断面図、（ｃ）：図６（ａ）に示すＥ−Ｆ−Ｇ平面による断面を矢印Ａに沿って見た断面図、（ｄ）：図６（ａ）に示すＨ−Ｉ−Ｊ平面による断面を矢印Ａに沿って見た断面図
【図７】（ａ）：本実施の形態の一変形例として、第１シート状部材と第２シート状部材との間に第２スペーサ部材を設けて構成された第４曇り防止用マスク用具の斜視図、（ｂ）：本実施の形態の一変形例として、第１シート状部材と第２シート状部材との間に第３スペーサ部材を設けて構成された第５曇り防止用マスク用具の斜視図、（ｃ）：本実施の形態の一変形例として、第１シート状部材と第２シート状部材との間に第４スペーサ部材を設けて構成された第６曇り防止用マスク用具の斜視図
【発明を実施するための形態】
【００１２】
以下に、本発明のマスク用具の一実施の形態としての曇り防止用マスク用具について、図面を用いて説明する。
【００１３】
本実施の形態では、一例として、当該曇り防止用マスク用具を一般に市販されている使い捨てマスクに装着する場合について説明する。
【００１４】
なお、当該曇り防止用マスク用具が装着可能なマスクは、使い捨てマスクに限定されるものではなく、通常のマスクであればどのようなマスクにも装着可能である。
【００１５】
図１（ａ）は、本実施の形態の曇り防止用マスク用具１００の概略構成を示す概略斜視図であり、図１（ｂ）は、図1（ａ）に示す曇り防止用マスク用具１００を矢印Ａ方向から見たときの概略側面図であり、図１（ｃ）は、図１（ａ）に示す曇り防止用マスク用具１００に設けられたスペーサ用突起部１１２の斜視図である。
【００１６】
また、図２は、図１（ａ）に示す曇り防止用マスク用具１００を市販の使い捨てマスク１に装着する前の状態を示し、使い捨てマスク１の内面側（即ち、顔に接する側）を示した概略斜視図である。
【００１７】
また、図３は、図１（ａ）に示す曇り防止用マスク用具１００を市販の使い捨てマスク１に装着した状態を示し、使い捨てマスク１の内面側（即ち、顔に接する側）を示した概略斜視図である。
【００１８】
本実施の形態の曇り防止用マスク用具１００は、図１（ａ）〜図３に示す様に、（１）使い捨てマスク１のマスク本体２の上部側の内面に沿って配置可能な、非通気性で柔軟性を有する略長方形状のシリコン製の第１シート状部材１１０と、（２）第１シート状部材１１０の上端部１１１で接着剤により連結されていると共に、後述するスペーサ用突起部１１２（図１（ｃ）参照）により第１シート状部材１１０との間に所定の間隔が保持された、マスク本体２で覆われる鼻を含むその他の顔の形状に概ね沿って塑性変形可能な非通気性の略長方形状のシリコン製の第２シート状部材１２０と、（３）第１シート状部材１１０の上端部１１１に接着剤により連結され、引っ掛け用隙間１３１（図１（ｂ）、図２参照）を維持したまま下方に向けて短く張り出した略長方形状のシリコン製の固定部材１３０と、を備え、固定部材１３０の上記所定の隙間を利用してマスク本体２の上端縁部２ａに引っ掛けることによって、第１シート状部材１１０及び第２シート状部材１２０をマスク本体２の内面側に着脱可能に構成されている（図２、図３参照）。
【００１９】
また、第１シート状部材１１０の、第２シート状部材１２０に対向する側の表面には、図１（ａ）〜図１（ｃ）に示す様に、第１シート状部材１１０の左右幅方向の中央付近（即ち、鼻背部２１及びその左右近傍に対応する部位）を除き、高さの異なる半球状のスペーサ用突起部１１２が複数形成されている。
【００２０】
本実施の形態のシリコン製のシート状部材は、シリコンゴムを薄板状に成形したものであるが、これに限定されるものではない。
【００２１】
また、本実施の形態の第２シート状部材１２０は、鼻や頬の形状にある程度沿って塑性変形するものであれば良く、鼻や頬の形状に隙間なく沿って塑性変形することを要しない。
【００２２】
更にまた、スペーサ用突起部１１２は、第１シート状部材１１０と第２シート状部材１２０との連結部から遠い位置に配置されたスペーサ用突起部１１２の高さの方が、近い位置に配置されたスペーサ用突起部１１２の高さよりも高くなる様に、高さを異ならせて第１シート状部材１１０に一体成型されている（図１（ｂ）参照）。
【００２３】
ここで、第１シート状部材１１０、第２シート状部材１２０、及び固定部材１３０の左右幅は同じであるが、それぞれの上下幅は、第１シート状部材１１０が最も長く、固定部材１３０が最も短く、第２シート状部材１２０がその中間である。
【００２４】
具体的には、本実施の形態の第１シート状部材１１０の上下幅は、成人の鼻の鼻背部２１と鼻尖部２２（図４（ａ）参照）を覆う程度の長さに設定されている。また、本実施の形態の第２シート状部材１２０の上下幅は、成人の鼻の鼻背部２１（図４（ａ）参照）を覆う程度の長さに設定されている。しかし、これに限定されるものではない。
【００２５】
また、曇り防止用マスク用具１００の左右幅、及び上下幅は、マスク本体２の左右幅、及び上下幅よりも短く設定されている。
【００２６】
これにより、曇り防止用マスク用具１００の左右両端部及び下端部がマスク本体２からはみ出すことが無く、且つ、マスク本体２の上端部から下方に向けて張り出した固定部材１３０は上下幅の短い帯状部材であるため、外観上すっきりした印象を与えデザイン的にも優れている。
【００２７】
上記構成により、曇り防止用マスク用具１００を使い捨てマスク１のマスク本体２に装着する場合は、図２に示す様に、使用者は、曇り防止用マスク用具１００の第１シート状部材１１０の左右幅の中央位置を、使い捨てマスク１のマスク本体２の内面側の左右幅の中央位置に位置合わせして配置すると共に、固定部材１３０と第１シート状部材１１０との間の引っ掛け用隙間１３１にマスク本体２の上端縁部２ａを挿入することにより、固定部材１３０をマスク本体２の上端縁部２ａに引っ掛ける。
【００２８】
なお、この使用者は、眼鏡４０（図４（ａ）、図４（ｂ）参照）をかけているものとする。
【００２９】
これにより、曇り防止用マスク用具１００をマスク本体２に簡単に装着することが出来、また、マスク本体２に装着された曇り防止用マスク用具１００を使用者が上方に持ち上げることにより簡単に取り外すことが出来る。
【００３０】
なお、固定部材１３０は、第１シート状部材１１０との連結部を含めて、第１シート状部材１１０や第２シート状部材１２０に比べて硬度が高く変形し難く構成されているので、曇り防止用マスク用具１００をマスク本体２に装着した後、使用中において容易に脱落することは無い。
【００３１】
また、使用者は、この様にして、曇り防止用マスク用具１００をマスク本体２に装着した後、マスク本体２を顔に当てて、左右の耳掛け部３を耳に掛けてから、マスク本体２の中央部から左右両側にわたり両手で押さえつけることにより、第１シート状部材１１０の内、スペーサ用突起部１１２が形成されていない中央部を介して第２シート状部材１２０の中央部１２１（図３、図４（ａ）参照）が、両手による押圧により鼻背部２１を中心に概ね鼻の形状に沿って塑性変形すると共に、第２シート状部材１２０の左右両側部１２２Ｌ、１２２Ｒ（図３、図４（ａ）参照）が、概ね頬上部３１の形状に沿って塑性変形する。
【００３２】
上述した様に、マスク本体２の上端縁部２ａの近傍のスペーサ用突起部１１２の高さは低く、且つ、第１シート状部材１１０の中央部にはスペーサ用突起部１１２が形成されていないので、マスク本体２の上端縁部２ａが、鼻背部２１を覆う部位と共に、その左右両側において、大きく前方に突き出ることが無いので、使用者がかけている眼鏡４０と干渉することは無い。
【００３３】
次に、図４（ａ）、図４（ｂ）を用いて、曇り防止用マスク用具１００が装着された使い捨てマスク１の使用状態における呼気の流れについて説明する。
【００３４】
図４（ａ）は、曇り防止用マスク用具１００が装着された使い捨てマスク１の使用状態における呼気の流れを説明するための、鼻背部２１における曇り防止用マスク用具１００及びマスク本体２の概略縦断面図である。
【００３５】
また、図４（ｂ）は、曇り防止用マスク用具１００が装着された使い捨てマスク１の使用状態における呼気の流れを説明するための、顔の左側後方から顔の左側周辺を見たときの曇り防止用マスク用具１００及び使い捨てマスク１の概略斜視図である。
【００３６】
図４（ａ）では、図面を見易くするために、鼻背部２１における曇り防止用マスク用具１００の縦断面を太い実線で示し、マスク本体２の縦断面を細い実線で示し、第２シート状部材１２０の中央部１２１及び左側部１２２Ｌを二点鎖線で示した。また、図４（ｂ）では、図面を見易くするために、曇り防止用マスク用具１００を太い実線と破線で示し、マスク本体２と耳掛け部３は二点鎖線で示した。
【００３７】
使用者の鼻や口から出た呼気５０（図４（ａ）の矢印参照）は、非通気性の第１シート状部材１１０及び第２シート状部材１２０を通過することが出来ないので、鼻背部２１の左右に配置された複数のスペーサ用突起部１１２により形成された隙間６０（図１（ｂ）、図４（ａ）、図４（ｂ）参照）を左右方向に通過して、主として、マスク本体２の左右両端縁部２Ｌ、２Ｒ（図３、図４（ｂ）参照）に生じた隙間部分等からマスク本体２の外へ出ていく。これにより、マスク本体２の上部から外へ呼気が漏れることは抑制されるので、呼気による眼鏡４０の曇り現象を防止することが出来る。
【００３８】
また、第１シート状部材１１０の介在により、マスク本体２の防塵機能が強化されるので、花粉や粉塵、ウイルス等が鼻や口に侵入することをより一層防止することが出来る。
【００３９】
また、本実施の形態の第２シート状部材１２０は、図４（ａ）に示す様に、鼻や頬及びその周辺の顔の部位に概ね沿った形状に塑性変形していると共に、上述した通り呼気が通過し易い様に隙間６０（図４（ｂ）参照）が確保されているので、第２シート状部材１２０と鼻や頬及びその周辺の顔の部位との間にわずかな隙間が生じていても、その隙間からマスク本体２の上部から外へ呼気が漏れることは抑制される。
【００４０】
これにより、使用者の鼻や口から出た呼気５０（図４（ａ）の矢印参照）は、主として、マスク本体２の左右両端縁部２Ｌ、２Ｒ（図３、図４（ｂ）参照）に生じた隙間部分等からマスク本体２の外へ出ていき、マスク本体２の上部から外へ呼気が漏れることは抑制されるので、呼気による眼鏡４０の曇り現象を防止することが出来る。
【００４１】
また、本実施の形態の曇り防止用マスク用具１００は、柔軟性を有するシリコン製の部材で構成されているので、耐油性、耐熱性等に優れ、熱消毒や水洗いが可能であり、マスク用具としての衛生面の確保にも優れている。
【００４２】
なお、本実施の形態の第１シート状部材１１０は、本発明の第１シート状部材の一例にあたり、本実施の形態の第２シート状部材１２０は、本発明の第２シート状部材の一例にあたる。また、本実施の形態の固定部材１３０は、本発明の固定部材の一例にあたる。
【００４３】
なお、上記実施の形態では、第１シート状部材１１０と第２シート状部材１２０とを接着剤により連結した構成について説明したが、これに限らず例えば、第１シート状部材１１０と第２シート状部材１２０とを一体成型により上端部１１１で連結した構成としても良い。
【００４４】
また、上記実施の形態では、第１シート状部材１１０と固定部材１３０とを接着剤により連結した構成について説明したが、これに限らず例えば、第１シート状部材１１０と固定部材１３０とを一体成型により上端部１１１で連結した構成としても良い。
【００４５】
また、上記実施の形態では、第１シート状部材１１０と第２シート状部材１２０とを接着剤により連結し、また、第１シート状部材１１０と固定部材１３０とを接着剤により連結した構成について説明したが、これに限らず例えば、固定部材１３０と第１シート状部材１１０と第２シート状部材１２０とを一体成型により上端部１１１で連結した構成としても良い。
【００４６】
また、上記実施の形態では、固定部材１３０を第１シート状部材１１０と連結した構成について説明したが、これに限らず例えば、固定部材１３０を第２シート状部材１２０の上端部と連結した構成であっても良い。
【００４７】
また、上記実施の形態では、曇り防止用マスク用具１００をシリコン製の部材により構成した場合について説明したが、これに限らず例えば、第１シート状部材１１０は、マスク本体の内面に沿って配置可能な非通気性の素材であり、且つ、第２シート状部材１２０は、少なくとも鼻の形状に沿って配置可能な非通気性の素材であればどのような素材であっても良い。
【００４８】
また、上記実施の形態では、第１シート状部材１１０と第２シート状部材１２０の非通気性の部材の一例として、シリコン製のシート状部材で構成されており、呼気が通り抜けることを完全に遮断できる場合について説明したが、これに限らず例えば、従来のマスクに用いられる通気性の良い素材に比べて、呼気が通り抜け難い程度の通気性を有する部材で構成されていても良く、この様な部材も、本発明の非通気性の部材の一例に含まれる。
【００４９】
また、上記実施の形態では、第１シート状部材１１０と第２シート状部材１２０のシート状部材の一例として、シリコンゴムを薄板状に成形したものである場合について説明したが、これに限らず例えば、シリコン樹脂を薄板状に成形された、少なくとも非通気性を有するものであっても良いし、繊維状の素材を編むことでシート状に形成された、少なくとも非通気性を有するものであっても良いし、或いは、不織布のような素材でシート状に形成された、少なくとも非通気性を有するものであっても良い。
【００５０】
また、上記実施の形態では、曇り防止用マスク用具１００の固定部材１３０をシリコン製の部材により構成した場合について説明したが、これに限らず例えば、固定部材１３０は、マスク本体２の上端縁部２ａに引っ掛けることにより、曇り防止用マスク用具１００をマスク本体２に保持することが出来れば、安全性を確保するために表面が植毛された金属板やプラスチック板等、どのような素材で構成されていても良い。
【００５１】
また、この場合、植毛の色を複数種類用意することで、使用者の好みに合わせて植毛の色を選択することが出来、例えば白色のマスク本体２に装着した際、マスク本体２の上端部２ａに好みのカラーラインが施されるので、おしゃれな感覚をアピールすることが出来るという効果もある。
【００５２】
また、上記実施の形態では、第２シート状部材１２０は、マスク本体２で覆われる鼻を含むその他の顔の形状に概ね沿って塑性変形可能な部材である場合について説明したが、これに限らず例えば、第２シート状部材１２０は、鼻の形状に沿う様に予め成形されている構成であっても良い。また、この構成の場合、鼻の形状は、人によって様々であるので、成人の標準的な鼻のサイズを基準とした標準サイズ（Ｍサイズ）と、それより少し大きめのサイズ（Ｌサイズ）と、少し小さめのサイズ（Ｓサイズ）との３種類を予め用意し、使用者が適宜選択できる構成としても良い。また、サイズについて、成人の男性用、成人の女性用、及び子供用という分類で予め複数種類を用意しても良い。
【００５３】
また、上記実施の形態では、スペーサ用突起部１１２は、半球状である場合について説明したが、これに限らず例えば、高さの異なる円柱状部材であっても良いし、高さのことなる板状部材等、要するに、第１シート状部材１１０と第２シート状部材１２０との連結部から遠い位置に配置されたスペーサ用突起部の高さの方が、近い位置に配置されたスペーサ用突起部の高さよりも高くなる様に、高さを異ならせて構成されており、且つ、呼気５０の左右方向への流れが妨げられないものであれば、どのような形状であっても良い。
【００５４】
また、上記実施の形態では、固定部材１３０の左右幅は第１シート状部材１１０の左右幅と同じである場合について説明したが（図１（ａ）参照）、これに限らず例えば、固定部材は、図５に示す様に、第１シート状部材１１０の左右両端部に左右一対の固定部材２３０Ｌ、２３０Ｒが、それぞれ設けられた構成であっても良い。図５は、第１シート状部材１１０の左右両端部に左右一対の固定部材２３０Ｌ、２３０Ｒが、それぞれ設けられた第２曇り防止用マスク用具２００の概略構成を示す概略斜視図である。なお、図５において、図１（ａ）と同じ構成には同じ符号を付した。
【００５５】
また、上記実施の形態では、鼻や口から出た呼気５０が左右方向へ流れていく様にするために、第１シート状部材１１０と第２シート状部材１２０との連結部から遠い位置に配置されたスペーサ用突起部１１２の高さの方が、近い位置に配置されたスペーサ用突起部１１２の高さよりも高くなる様に、スペーサ用突起部１１２の高さを異ならせて構成した場合について説明したが、これに限らず例えば、図６（ａ）に示す様に、第１シート状部材１１０と第２シート状部材１２０との間に、概ね鼻の形状に沿って塑性変形可能な特性を有するスペーサ部材３１０を設けた構成であっても良い。図６（ａ）は、第１シート状部材１１０と第２シート状部材１２０との間にスペーサ部材３１０を設けて構成された第３曇り防止用マスク用具３００の斜視図である。また、図６（ｂ）は図６（ａ）に示すＢ−Ｃ−Ｄ平面による断面を矢印Ａに沿って見た断面図であり、図６（ｃ）は図６（ａ）に示すＥ−Ｆ−Ｇ平面による断面を矢印Ａに沿って見た断面図であり、図６（ｄ）は図６（ａ）に示すＨ−Ｉ−Ｊ平面による断面を矢印Ａに沿って見た断面図である。
【００５６】
第３曇り防止用マスク用具３００では、図６（ａ）〜図６（ｄ）に示す様に、スペーサ部材３１０を設けたことにより、第１シート状部材１１０と第２シート状部材１２０との間に形成される空間３２０の天井部３２１は、第３曇り防止用マスク用具３００の正面視で、空間３２０の左右幅の中央部から左右両端部に向かうに従って上昇する形状、即ち、正面視で略Ｖ字状に傾斜した形状を成している。この様に、空間３２０の天井部３２１が、正面視で略Ｖ字状に傾斜した形状を成していることから、鼻や口から出た呼気は、空間３２０の左右幅の中央部から左右方向に向けて、略Ｖ字状の傾斜に沿いながら移動して、最終的には、図４（ｂ）で示した場合と同様に、主として、マスク本体２の左右両端縁部２Ｌ、２Ｒに生じた隙間部分等からマスク本体２の外へ出ていく。これにより、マスク本体２の上部から外へ呼気が漏れることは抑制されるので、呼気による眼鏡４０の曇り現象を防止することが出来る。
【００５７】
また、図６（ａ）で示したスペーサ部材３１０は、概ね鼻の形状に沿って塑性変形可能な特性を有する構成である場合について説明したが、これに限らず例えば、スペーサ部材３１０における鼻に当たる部位（図６（ａ）のＨ−Ｉ−Ｊ平面による断面の部位、及びその近傍の部位）を、標準的な成人の鼻の形状に合わせて予めへこませてあっても良い。これにより、標準的な成人の鼻の形状に合わせて予めへこませていない構成に比べて、第３曇り防止用マスク用具３００の第２シート状部材１２０は、より一層、使用者の鼻や頬上部の形状になじみやすくなる。
【００５８】
また、図６（ａ）に示した第３曇り防止用マスク用具３００では、第１シート状部材１１０と第２シート状部材１２０との間に設けられたスペーサ部材３１０は、その左右両端部における空間３２０の天井部３２１は、第１シート状部材１１０の上端部１１１に達している場合について説明したが、これに限らず例えば、図７（ａ）に示す様に、第４曇り防止用マスク用具４００の第１シート状部材１１０と第２シート状部材１２０との間に設けられた、概ね鼻の形状に沿って塑性変形可能な特性を有する第２スペーサ部材４１０は、その左右両端部における第２空間４２０の第２天井部４２１は、第１シート状部材１１０の上端部１１１に達していない構成であっても良い。
【００５９】
また、図６（ａ）に示した第３曇り防止用マスク用具３００では、第１シート状部材１１０と第２シート状部材１２０との間に設けられたスペーサ部材３１０は、その左右両端部における空間３２０の天井部３２１は、第１シート状部材１１０の上端部１１１に達している場合について説明したが、これに限らず例えば、図７（ｂ）に示す様に、第５曇り防止用マスク用具５００の第１シート状部材１１０と第２シート状部材１２０との間に設けられた、概ね鼻の形状に沿って塑性変形可能な特性を有する第３スペーサ部材５１０は、四角錐形状の底面が第１シート状部材１１０の内面と接触し、四角錐形状の三角形状の一の側面が第２シート状部材１２０の内面と接触している構成であっても良い。
【００６０】
また、図６（ａ）に示した第３曇り防止用マスク用具３００では、第１シート状部材１１０と第２シート状部材１２０との間に設けられたスペーサ部材３１０は、その左右両端部における空間３２０の天井部３２１は、第１シート状部材１１０の上端部１１１に達している場合について説明したが、これに限らず例えば、図７（ｃ）に示す様に、第６曇り防止用マスク用具６００の第１シート状部材１１０と第２シート状部材１２０との間に設けられた、概ね鼻の形状に沿って塑性変形可能な特性を有する第４スペーサ部材６１０は、三角柱形状の長方形状の一の側面が第１シート状部材１１０の内面と接触し、三角柱形状の長方形状の他の一の側面が第２シート状部材１２０の内面と接触している構成であっても良い。
【００６１】
ここで、図７（ａ）は、第１シート状部材１１０と第２シート状部材１２０との間に第２スペーサ部材４１０を設けて構成された第４曇り防止用マスク用具４００の斜視図であり、図７（ｂ）は、第１シート状部材１１０と第２シート状部材１２０との間に第３スペーサ部材５１０を設けて構成された第５曇り防止用マスク用具５００の斜視図であり、図７（ｃ）は、第１シート状部材１１０と第２シート状部材１２０との間に第４スペーサ部材６１０を設けて構成された第６曇り防止用マスク用具６００の斜視図である。
【００６２】
また、図７（ａ）〜図７（ｃ）で示した第２スペーサ部材４１０、第３スペーサ部材５１０、及び第４スペーサ部材６１０は、概ね鼻の形状に沿って塑性変形可能な特性を有する構成である場合について説明したが、これに限らず例えば、第２スペーサ部材４１０、第３スペーサ部材５１０、及び第４スペーサ部材６１０における鼻に当たる部位を、標準的な成人の鼻の形状に合わせて予めへこませてあっても良い。これにより、標準的な成人の鼻の形状に合わせて予めへこませていない構成に比べて、第４曇り防止用マスク用具４００の第２シート状部材１２０、第５曇り防止用マスク用具５００、及び第６曇り防止用マスク用具６００は、より一層、使用者の鼻や頬上部の形状になじみやすくなる。
【００６３】
また、上記実施の形態では、鼻や口から出た呼気５０が左右方向へ流れていく様にするために、第１シート状部材１１０にスペーサ用突起部１１２（図４（ｂ）参照）を設けた構成、或いは、第１シート状部材１１０と第２シート状部材１２０との間にスペーサ部材３１０等（図６（ａ）〜図６（ｄ）、図７（ａ）〜図７（ｃ）参照）を設けた構成について説明したが、これに限らず例えば、第１シート状部材１１０は、鼻や口から出た呼気５０が左右方向へ移動可能な空間を頬との間に確保できる様な膨らみを有した形状に予め成形されていても良い。この構成の場合は、上述したスペーサ用突起部１１２、スペーサ部材３１０、第２スペーサ部材４１０、第３スペーサ部材５１０、或いは第４スペーサ部材６１０を設ける必要は無い。
【００６４】
また、上記実施の形態では、曇り防止用マスク用具１００の左右幅は、マスク本体２の左右幅よりも短く設定されている場合について説明したが、これに限らず例えば、曇り防止用マスク用具１００の左右幅は、マスク本体２の左右幅と同じであっても良いし、マスク本体２の左右幅により長く設定されていても良い。
【００６５】
また、上記実施の形態では、第２シート状部材１２０の上下幅は、成人の鼻の鼻背部２１（図１、３参照）を覆う程度の長さになる様に、左端から右端に亘り一定の上下幅に設定されていて正面視で略長方形状を成している場合について説明したが、これに限らず例えば、第２シート状部材１２０は、第２シート状部材１２０の左右幅方向の中央部においてその上下幅が最も短くなっており、且つ、鼻の鼻背部２１に対応する部位を中心として概ね鼻の形状に沿う様に切り欠かれた略逆Ｖ字状の切り欠き部を有する略長方形状を成した構成であっても良い。
【産業上の利用可能性】
【００６６】
本発明のマスク用具によれば、従来のマスクに着脱可能であって、従来のマスクに装着することにより眼鏡が曇りにくいという効果を発揮し、例えば、使い捨てマスクや、衛生マスク等に装着して用いるマスク用具として有用である。
【符号の説明】
【００６７】
１    使い捨てマスク
２    マスク本体
２ａ  マスク本体の上端縁部
３    耳掛け部
２１  鼻背部
２２  鼻尖部
５０  呼気
６０  隙間
１００  曇り防止用マスク用具
１１０  第１シート状部材
１１１  上端部
１１２  半球状のスペーサ用突起部
１２０  第２シート状部材
１３０  固定部材
１３１  引っ掛け用隙間
【図１】
2018159147.tif 000003
【図２】
2018159147.tif 000004
【図３】
2018159147.tif 000005
【図４】
2018159147.tif 000006
【図５】
2018159147.tif 000007
【図６】
2018159147.tif 000008
【図７】
2018159147.tif 000009